(57)【要約】  移動体通信システムは、移動体３０からの要求に応じてサービス提供を行う第１の通信装置において、移動体３０の識別情報に基づいて認証を行い、認証結果に基づいて移動体３０に対してサービスを行うとともに、移動体３０が移動した場合に、移動先の第２の通信装置２０においては、移動体３０からの識別情報と第１の通信装置による認証結果とに基づいて、第２の通信装置２０においては認証を行うことなく、移動体３０にサービス提供を行う。
2020170416.tif 000002
【特許請求の範囲】
【請求項１】
移動体からの要求に応じてサービスを提供する第１の通信装置と、
前記第１の通信装置の通信エリアと異なる通信エリアを有し、前記移動体からの要求に応じてサービスを提供する第２の通信装置と
を備え、
前記移動体は、
前記移動体の識別情報を前記第１の通信装置に送信する識別情報送信部と、
前記第１の通信装置から前記識別情報に対する認証許可通知情報を受信する第１の認証許可通知情報受信部と、
前記第１の認証許可通知情報受信部が前記認証許可通知情報を受信した場合に、前記第１の通信装置からの前記サービスを受信するサービス受信部と
を有し、
前記第１の通信装置は、
前記移動体から前記識別情報を受信する識別情報受信部と、
前記識別情報受信部が受信した前記識別情報が適正であるか否かの認証を行い、前記識別情報が適正であると判定した場合に、前記認証許可通知情報を前記移動体に送信する認証許可通知情報送信部と、
前記認証許可通知情報送信部によって前記識別情報が適正であると判定された場合に、前記サービスを前記移動体に送信する第１のサービス送信部と
を有し、
前記第２の通信装置は、
前記第１の通信装置が前記移動体に送信した前記認証許可通知情報を前記移動体から受信する第２の認証許可通知情報受信部と、
前記第２の認証許可通知情報受信部が受信した前記認証許可通知情報が適正であった場合に、前記サービスを前記移動体に送信する第２のサービス送信部と
を有する、
移動体通信システム。
【請求項２】
前記第２の通信装置の前記第２の認証許可通知情報受信部は、前記移動体から受信した前記認証許可通知情報が前記第１の通信装置が発行したものであった場合に、前記認証許可通知情報を適正であると判定し、
前記第２の通信装置の第２のサービス送信部は、前記第２の認証許可通知情報受信部の判定結果に基づいて、前記認証許可通知情報が適正であった場合に、前記サービスを前記移動体に送信する、
請求項１に記載の移動体通信システム。
【請求項３】
前記第２の通信装置の前記第２の認証許可通知情報受信部は、前記認証許可通知情報を前記移動体から受信した場合に、前記第１の通信装置に前記認証許可通知情報を送信し、
前記第１の通信装置は、
前記第２の通信装置の前記第２の認証許可通知情報受信部から前記認証許可通知情報を受信したときに、前記移動体の現在の通信先が前記第２の通信装置であるか否かを確認して、前記移動体の現在の通信先が前記第２の通信装置であった場合に、前記認証許可通知情報が信ぴょう性を有していると判定し、前記認証許可通知情報を適正であると判定する判定部を有し、
前記第２の通信装置の前記第２のサービス送信部は、前記第１の通信装置の前記判定部からの判定結果に基づいて、前記認証許可通知情報が適正であった場合に、前記第２のサービス送信部から前記移動体に前記サービスの送信を行う、
請求項１に記載の移動体通信システム。
【請求項４】
前記第１の通信装置は、
前記移動体の位置を検知する移動位置検知部と、
前記移動位置検知部で検知された前記移動体の位置情報と前記第２の通信装置の位置情報とを比較することで、前記移動体が前記第２の通信装置の前記通信エリア内に存在するか否かを判定する位置比較部と
を有し、
前記判定部は、前記位置比較部によって前記移動体が前記第２の通信装置の前記通信エリア内に存在すると判定された場合に、前記認証許可通知情報が信ぴょう性を有していると判定し、前記認証許可通知情報を適正であると判定する、
請求項３に記載の移動体通信システム。
【発明の詳細な説明】
【技術分野】
【０００１】
この発明は、移動体にサービスを提供する移動体通信システムに関するものである。
【背景技術】
【０００２】
移動体通信において、モバイルエッジコンピューティング（Ｍｏｂｉｌｅ  Ｅｄｇｅ  Ｃｏｍｐｕｔｉｎｇ：ＭＥＣ）が提唱されている。このようなＭＥＣでは、ＬＴＥ（Ｌｏｎｇ  Ｔｅｒｍ  Ｅｖｏｌｕｔｉｏｎ）基地局などのモバイル通信の通信基地局またはアクセスポイントに対して、ＭＥＣサーバが配置される。また、例えばＭＥＣサーバが、ユーザ端末に対して、予め設定された範囲内の近距離で配置される。これにより、通信遅延、すなわち、レイテンシ（ｌａｔｅｎｃｙ）を削減し、バックホールの帯域を削減するなどの高いメリットが得られる。こうした高いメリットが評価され、ＭＥＣの様々なユースケースが提案されている（例えば、非特許文献１参照）。【０００３】
ユースケースの例として、非特許文献１には、例えば、下記のようないくつかのシステムが提示されている。そのうちの１つのシステムでは、カメラで撮影したビデオストリームをＭＥＣサーバでトランスコードし、トランスコードされた当該ビデオストリームがＭＥＣサーバから低い周波数帯域にてコア網に転送されている。また、別のシステムでは、コア網にキャッシュが備えられ、インターネット等のコンテンツ源からのパケットをコア網で一旦キャッシュしている。また、当該コア網から、低い周波数帯域のバックホール転送によって、当該パケットがＬＴＥ基地局のＭＥＣサーバに送信されている。ＭＥＣサーバは、受信した当該パケットをローカルキャッシュに格納し、端末に転送している。【０００４】
また、別のユースケースの例として、例えば特許文献１に記載の情報通信システムがある。特許文献１に記載の情報通信システムでは、会員端末は、共通サーバ装置からホームページのデータを受信して、ＬＣＤ（Ｌｉｑｕｉｄ  Ｃｒｙｓｔａｌ  Ｄｉｓｐｌａｙ）に当該ホームページを表示する。次に、会員端末の使用者が、表示されたホームページに含まれるサービス選択用アイコンの中から、所望の情報提供サービスに対応するサービス選択用アイコンを選択して、選択入力を行う。会員端末は、当該選択入力を受け付けて、選択された情報提供サービスの実行を共通サーバ装置に要求する。これによって、会員端末の使用者は、共通サーバ装置から、所望の情報提供サービスを受けることができる。
【先行技術文献】
【特許文献】
【０００５】
【特許文献１】特開平１１−６８８２３号公報
【非特許文献】
【０００６】
【非特許文献１】「Ｍｏｂｉｌｅ  Ｅｄｇｅ  Ｃｏｍｐｕｔｉｎｇ」、Ｉｎｔｒｏｄｕｃｔｏｒｙ  Ｔｅｃｈｎｉｃａｌ  Ｗｈｉｔｅ  Ｐａｐｅｒ、２０１４年９月、p. 1-36
【発明の概要】
【発明が解決しようとする課題】
【０００７】
しかしながら、上記のようなＭＥＣサーバを用いたサービスにおいて、端末である移動体が移動するなどにより、サービスが途切れて、サービスの継続性を確保できないことといった問題点があった。【０００８】
例えば、基地局（以下、通信装置という）において、ＭＥＣサーバを用いたサービスが提供されている場合を仮定する。その場合において、移動体が移動して、移動体と通信装置との間がハンドオーバしたときに、サービスの継続性が確保できない状況が発生し得る。例えば、或る通信装置からのサービスの提供を受けている移動体が移動してハンドオーバした場合、当該移動体は、移動先の別の通信装置から当該サービスを受ける必要がある。この際、当該移動体は、移動先の別の通信装置に対する認証手続を必要とする。ところが、この認証手続には処理時間がかかるため、移動先の別の通信装置からのサービスの提供は即座に開始されない。その結果、移動体へのサービスの提供が一時的に中断される。このように、移動体が移動する場合には、当該移動体に対する通信装置からのサービスの提供の継続性が確保されていないという問題点があった。【０００９】
この発明は、上記のような課題を解決するためになされたものであり、サービスが途切れることを防止することが可能な、移動体通信システムを提供することを目的とするものである。
【課題を解決するための手段】
【００１０】
この発明は、移動体からの要求に応じてサービスを提供する第１の通信装置と、前記第１の通信装置の通信エリアと異なる通信エリアを有し、前記移動体からの要求に応じてサービスを提供する第２の通信装置とを備え、前記移動体は、前記移動体の識別情報を前記第１の通信装置に送信する識別情報送信部と、前記第１の通信装置から前記識別情報に対する認証許可通知情報を受信する第１の認証許可通知情報受信部と、前記第１の認証許可通知情報受信部が前記認証許可通知情報を受信した場合に、前記第１の通信装置からの前記サービスを受信するサービス受信部とを有し、前記第１の通信装置は、前記移動体から前記識別情報を受信する識別情報受信部と、前記識別情報受信部が受信した前記識別情報が適正であるか否かの認証を行い、前記識別情報が適正であると判定した場合に、前記認証許可通知情報を前記移動体に送信する認証許可通知情報送信部と、前記認証許可通知情報送信部によって前記識別情報が適正であると判定された場合に、前記サービスを前記移動体に送信する第１のサービス送信部とを有し、前記第２の通信装置は、前記第１の通信装置が前記移動体に送信した前記認証許可通知情報を前記移動体から受信する第２の認証許可通知情報受信部と、前記第２の認証許可通知情報受信部が受信した前記認証許可通知情報が適正であった場合に、前記サービスを前記移動体に送信する第２のサービス送信部とを有する、移動体通信システムである。
【発明の効果】
【００１１】
この発明は、サービスが途切れることを防止することができる。
【図面の簡単な説明】
【００１２】
【図１】この発明の実施の形態１に係る通信装置を含む移動体通信システムの構成の概要を示すブロック図である。
【図２】この発明の実施の形態１に係る通信装置の動作を説明するフローチャートである。
【図３】この発明の実施の形態１に係る通信装置の担当エリアを表す図である。
【図４】この発明の実施の形態２に係る通信装置を含む移動体通信システムの構成の概要を示すブロック図である。
【図５】この発明の実施の形態２に係る通信装置の動作を説明するフローチャートである。
【発明を実施するための形態】
【００１３】
実施の形態１．
以下、この発明の実施の形態１に係る移動体通信システムについて、図１〜図３に基づいて説明する。図１は、本実施の形態１に係る移動体通信システムの構成を示している。
【００１４】
図１に示すように、本実施の形態１に係る移動体通信システムは、第１の通信装置１０および第２の通信装置２０から構成されている。第１の通信装置１０および第２の通信装置２０は、移動体通信システムの基地局として機能する。第１の通信装置１０および第２の通信装置２０は、移動体３０からの要求に応じて、種々のサービスを提供する。移動体３０は、例えば移動端末から構成されている。
【００１５】
なお、図１には、第１の通信装置１０と第２の通信装置２０との２つの通信装置のみ示しているが、実際には、２以上の多数の通信装置が設けられている。これらの多数の通信装置は、予め設定された距離間隔で配置されている。
【００１６】
以下、第１の通信装置１０、移動体３０、および、第２の通信装置２０について、説明する。
【００１７】
まず、第１の通信装置１０について説明する。図１に示すように、第１の通信装置１０は、識別情報受信部１１と、認証許可通知情報送信部１２と、第１のサービス送信部１３とを備えている。以下、これらの各部について説明する。
【００１８】
識別情報受信部１１は、後述する移動体３０の識別情報送信部３１から送信されてくる識別情報を受信する。当該識別情報は、移動体３０を識別するための固有のＩＤ情報である。
【００１９】
認証許可通知情報送信部１２は、識別情報受信部１１で受信した移動体３０の識別情報の認証を行う。認証許可通知情報送信部１２は、移動体３０の認証が成立した場合に、移動体３０に対して、認証許可通知情報を送信する。移動体３０では、後述する第１の認証許可通知情報受信部３２により、認証許可通知情報を認証結果として受信する。ここで、認証とは、移動体３０が該当サービスの契約を正式に結んでいるか否か等を確認することにより、移動体３０が正規登録された移動体であるか否かを判定する処理のことである。
【００２０】
第１のサービス送信部１３は、認証許可通知情報送信部１２の認証結果に基づき、正規登録された移動体３０に対し、サービスを提供する。ここで、サービスとは、例えば、車両と車両との安全支援サービス、車両と歩行者との安全支援サービスなどが挙げられるが、当然のことながら、これらのサービスに限定されない。
【００２１】
次に、移動体３０について説明する。図１に示すように、移動体３０は、識別情報送信部３１と、第１の認証許可通知情報受信部３２と、サービス受信部３３とを備えている。以下、これらの各部について説明する。
【００２２】
識別情報送信部３１は、移動体３０の識別情報を、移動体３０の位置に応じて、第１の通信装置１０または第２の通信装置２０に対して送信する。すなわち、移動体３０が、第１の通信装置１０の担当エリア内に存在する場合には、識別情報送信部３１は、第１の通信装置１０に対して、識別情報を送信する。ここで、担当エリアとは、移動体３０との通信が可能な通信エリアを意味し、各通信装置ごとに予め設定されている領域のことである。また、その後、移動体３０が移動して、第２の通信装置２０の担当エリア内に進入した場合は、識別情報送信部３１は、第２の通信装置２０に対して、移動体３０の識別情報、および、第１の通信装置から通知された認証許可通知情報を送信する。このように、識別情報送信部３１は、通信開始時は、移動体３０の識別情報のみを通信装置に送信する。また、移動体３０の移動に伴って通信装置が変更された場合には、識別情報送信部３１は、移動体３０の識別情報と共に、移動前の通信装置から通知された認証許可通知情報を、移動後の通信装置に送信する。なお、当該認証許可通知情報には、発行元の通信装置を識別するためのコードが付加されている。
【００２３】
第１の認証許可通知情報受信部３２は、第１の通信装置１０または第２の通信装置２０から認証許可通知情報を受信して、識別情報送信部３１に対して出力する。
【００２４】
サービス受信部３３は、第１の認証許可通知情報受信部３２が認証許可通知情報を受信した場合に、第１の通信装置１０または第２の通信装置２０から提供されるサービスを受信する。
【００２５】
次に、第２の通信装置２０について説明する。図１に示すように、第２の通信装置２０は、第２の認証許可通知情報受信部２１と第２のサービス送信部２２とを備えている。以下、これらの各部について説明する。
【００２６】
第２の認証許可通知情報受信部２１は、移動体３０の識別情報送信部３１から送信された識別情報及び認証許可通知情報を受信する。第２の認証許可通知情報受信部２１は、移動体３０の識別情報送信部３１から受信した認証許可通知情報が適正か否かを判定する。判定方法としては、認証許可通知情報には、発行元の通信装置を識別するためのコードが付加されているので、当該コードを確認することで、認証許可通知情報が適正か否かを判定すればよい。
【００２７】
第２のサービス送信部２２は、当該認証許可通知情報が適正であった場合に、移動体３０の認証を行うことなく、移動体３０に対して、第１の通信装置１０の第１のサービス送信部１３が提供していたサービスと同等のサービスを提供する。
【００２８】
なお、図１においては、説明を分かりやすくするために、第１の通信装置１０と第２の通信装置２０とが、互いに異なる構成のように記載しているが、実際には、同じ構成を有している。すなわち、実際には、第１の通信装置１０が、さらに、第２の認証許可通知情報受信部２１と同じものを備えている。また、第２の通信装置２０が、さらに、識別情報受信部１１と同じもの、および、認証許可通知情報送信部１２と同じものを備えている。
【００２９】
次に、本実施の形態１に係る移動体通信システムの動作を図２のフローチャートを用いて説明する。
【００３０】
図２において、ステップＳ１では、移動体３０の識別情報送信部３１が、移動体３０の識別情報を、第１の通信装置１０へ送信する。
【００３１】
ステップＳ２では、第１の通信装置１０が、識別情報受信部１１によって移動体３０の識別情報を受信して、認証許可通知情報送信部１２により、移動体３０の当該識別情報の認証を行う。
【００３２】
ステップＳ３では、認証許可通知情報送信部１２の認証結果において、移動体３０の識別情報が適正であると判定された場合、第１の通信装置１０が、認証許可通知情報送信部１２から、認証許可通知情報を、移動体３０へ送信する。
【００３３】
ステップＳ４では、認証許可通知情報送信部１２の認証結果に従って、第１の通信装置１０は、第１のサービス送信部１３から、移動体３０へサービスを提供する。
【００３４】
ステップＳ５では、移動体３０が、第１の通信装置１０の担当エリアから、第２の通信装置２０の担当エリアに向かって移動する。ここで、担当エリアについて図３を用いて具体的に説明する。図３に示すように、第１の通信装置１０の担当エリアＥ１０と、第２の通信装置２０の担当エリアＥ２０とが互いに隣接して配置されている。第１の通信装置１０の担当エリアＥ１０と、第２の通信装置２０の担当エリアＥ２０とは、エリアＥ１２において、それぞれの一部分が重なっている。ステップＳ５は、移動体３０が、エリアＥ１２を含む担当エリアＥ２０内に進入した状態である。
【００３５】
ステップＳ６では、移動体３０の識別情報送信部３１が、第２の通信装置２０に対して、識別情報及び認証許可通知情報を送信する。なお、当該認証許可通知情報は、第１の通信装置１０の認証許可通知情報送信部１２が送信して、移動体３０の第１の認証許可通知情報受信部３２が受信したものである。
【００３６】
ステップＳ７では、第２の通信装置２０の第２の認証許可通知情報受信部２１が、移動体３０から識別情報及び認証許可通知情報を受信した場合、受信した認証許可通知情報が適正か否かを確認する。第２の認証許可通知情報受信部２１は、認証許可通知情報が適正であると判定した場合、移動体３０を、サービスの提供を許可してよい移動体として認識する。これにより、第２の通信装置２０の第２のサービス送信部２２は、移動体３０に対してサービスの提供を開始する。
【００３７】
なお、ステップＳ７で行う認証許可通知情報が適正か否かの確認は、移動体３０に対する認証を行うものではなく、認証許可通知情報に付加されたコードに基づいて発行元が第１の通信装置１０であることを確認するだけのものであるので、認証手続に要する時間は必要ない。
【００３８】
以上のように、本実施の形態１の移動体通信システムにおいては、第１の通信装置１０の担当エリアＥ１０から第２の通信装置２０の担当エリアＥ２０に移動体３０が移動した場合に、移動体３０が、第１の通信装置１０から受信した認証許可通知情報を、識別情報とともに、第２の通信装置２０に送信する。これにより、第２の通信装置２０では、認証許可通知情報を単に確認するだけで、移動体３０の認証処理を行わずに、即座に、サービスの提供を開始することができる。その結果、本実施の形態１の移動体通信システムによれば、移動体３０の移動によってサービスが途切れることを防止することができる。それにより、ＱｏＥ（Ｑｕａｌｉｔｙ  ｏｆ  Ｅｘｐｅｒｉｅｎｃｅ）などのサービスの品質を向上させることができ、顧客満足度を高めることができる。
【００３９】
実施の形態２．
この発明の実施の形態２に係る移動体通信システムを図４及び図５に基づいて説明する。図４は、本実施の形態２に係る移動体通信システムの構成を示している。図５は、本実施の形態２に係る移動体通信システムの動作を説明するフローチャートである。
【００４０】
図４に示すように、本実施の形態２に係る移動体通信システムは、第１の通信装置１０Ａおよび第２の通信装置２０Ａから構成されている。第１の通信装置１０Ａおよび第２の通信装置２０Ａは、移動体通信システムの基地局として機能する。第１の通信装置１０Ａおよび第２の通信装置２０Ａは、移動体３０からの要求に応じて、種々のサービスを提供する。移動体３０は、例えば移動端末から構成されている。
【００４１】
なお、図４には、第１の通信装置１０Ａと第２の通信装置２０Ａとの２つの通信装置のみ示しているが、実際には、２以上の多数の通信装置が設けられている。これらの多数の通信装置は、予め設定された距離間隔で配置されている。
【００４２】
第１の通信装置１０Ａは、図１の第１の通信装置１０の構成に対して、さらに、移動位置検知部１４と、位置比較部１５と、判定部１６とを備える。すなわち、第１の通信装置１０Ａは、識別情報受信部１１と、認証許可通知情報送信部１２と、第１のサービス送信部１３と、移動位置検知部１４と、位置比較部１５と、判定部１６とを備えている。
【００４３】
識別情報受信部１１と、認証許可通知情報送信部１２と、第１のサービス送信部１３との動作については、実施の形態１と同様であるため、ここでは説明を省略する。
【００４４】
移動位置検知部１４は、移動体３０の位置を検知する。
【００４５】
位置比較部１５は、移動位置検知部１４が検知した移動体３０の位置と第２の通信装置２０Ａの位置とを比較して、移動体３０が、第２の通信装置２０Ａの担当エリアＥ２０内に存在しているか否かを判定する。
【００４６】
判定部１６は、第２の通信装置２０Ａの第２の認証許可通知情報受信部２１から、移動体３０の識別情報と認証許可通知情報とを受信したときに、移動体３０の現在の通信先が第２の通信装置２０Ａであるか否かを確認する。判定部１６は、移動体３０の現在の通信先が第２の通信装置２０Ａであった場合に、当該認証許可通知情報が信ぴょう性を有していると判定する。本実施の形態２では、判定部１６は、位置比較部１５の比較結果に基づいて、移動体３０の現在の通信先が第２の通信装置２０Ａであるか否かを確認して、第２の通信装置２０Ａから通知された移動体３０の認証許可通知情報の信ぴょう性を判定する。なお、移動体３０の現在の通信先が第２の通信装置２０Ａであるか否かを確認する方法は、位置比較部１５の比較結果に基づく確認方法に限定されず、他の方法でもよい。例えば、移動体３０に対して、現在の通信先を示すコードを送信するように要求するなどして、現在の通信先を確認してもよい。
【００４７】
第２の通信装置２０Ａは、図１の第２の通信装置２０と同様に、第２の認証許可通知情報受信部２１と第２のサービス送信部２２とを備えている。第２の認証許可通知情報受信部２１と第２のサービス送信部２２との動作については、実施の形態１と異なる。
【００４８】
第２の認証許可通知情報受信部２１は、移動体３０の識別情報送信部３１から識別情報及び認証許可通知情報を受信する。また、第２の認証許可通知情報受信部２１は、受信した識別情報及び認証許可通知情報と第２の通信装置２０Ａの位置情報とを第１の通信装置１０に通知する。また、第２の認証許可通知情報受信部２１は、第１の通信装置１０Ａの判定部１６からの判定結果を受信する。
【００４９】
第２のサービス送信部２２は、第２の認証許可通知情報受信部２１が受信した第１の通信装置１０Ａの判定部１６からの判定結果に基づいて、移動体３０が第２の通信装置２０Ａに送信してきた認証許可通知情報が適正であった場合に、移動体３０に対して、サービスの提供を行う。
【００５０】
なお、図４においては、第１の通信装置１０Ａと第２の通信装置２０Ａとが、互いに異なる構成のように記載しているが、実際には、同じ構成を有している。
【００５１】
その他の部分は、上記の実施の形態１における構成と同様であるので、説明を省略する。なお、実施の形態１と同じ構成については、同一符号を付して示している。
【００５２】
次に、本実施の形態２に係る移動体通信システムの動作を図５のフローチャートを用いて説明する。
【００５３】
図５において、ステップＳ２１からステップＳ２４までは、図２のステップＳ１からＳ４までと同様であるので説明を省略する。
【００５４】
ステップＳ２５では、第１の通信装置１０Ａの移動位置検知部１４が、移動体３０の位置を検知する。移動体３０が第１の通信装置１０Ａの担当エリアＥ１０にある間は、その位置の検知を継続する。
【００５５】
ステップＳ２６とステップＳ２７は、図２のステップＳ５とＳ６とそれぞれ同様であるので、説明を省略する。
【００５６】
ステップＳ２８では、第２の通信装置２０Ａの第２の認証許可通知情報受信部２１が移動体３０から識別情報及び認証許可通知情報を受信した場合、第２の認証許可通知情報受信部２１は、これらの情報と第２の通信装置２０Ａの位置情報とを第１の通信装置１０に通知する。第２の通信装置２０Ａは、固定されているため、第２の通信装置２０Ａの位置情報は、予め、第２の通信装置２０Ａのメモリ内に記憶されているものとする。
【００５７】
ステップＳ２９では、第１の通信装置１０の位置比較部１５は、移動位置検知部１４が検知した移動体３０の位置情報と第２の通信装置２０から送信された第２の通信装置２０の位置情報とを比較して、移動体３０が、第２の通信装置２０Ａの担当エリアＥ２０内に存在するか否かを判定する。なお、判定方法としては、例えば、以下のようにする。各通信装置の担当エリアが、各通信装置の位置を中心とする半径ｒの円形であると仮定する。この場合には、移動体３０の位置情報と第２の通信装置２０Ａの位置情報との間の距離が、半径ｒ以下の場合には、移動体３０は担当エリアＥ２０内に存在すると判定することができる。あるいは、移動体３０の位置情報と第２の通信装置２０Ａの担当エリアＥ２０の位置情報とを比較して、移動体３０が、第２の通信装置２０Ａの担当エリアＥ２０内に存在するか否かを判定するようにしてもよい。
【００５８】
ステップＳ３０では、第１の通信装置１０の判定部１６が、位置比較部１５の判定結果に基づき、移動体３０からの認証許可通知情報の信ぴょう性を判断する。すなわち、判定部１６は、位置比較部１５の判定結果に基づき、移動体３０が第２の通信装置２０Ａの担当エリアＥ２０内に存在している場合には、移動体３０が適正な認証許可通知情報を有していると判定する。
【００５９】
なお、このステップＳ３０で行う判定部１６の信ぴょう性の判定は、移動体３０に対する認証を行うものではなく、単に、位置比較部１５の判定結果を確認するだけであるので、認証手続に要する時間は必要ないため、処理時間は要さない。
【００６０】
ステップＳ３１では、第１の通信装置１０Ａの判定部１６が判定結果を第２の通信装置２０へ送信する。
【００６１】
ステップＳ３２では、第２の通信装置２０Ａは、第１の通信装置１０Ａからの判定結果により、移動体３０の認証許可通知情報が適正である場合、当該移動体３０に、サービスの提供を許可してよいと認識し、移動体３０に対してサービスの提供を開始する。
【００６２】
以上のように、本実施の形態２においては、第１の通信装置１０Ａの担当エリアＥ１０から第２の通信装置２０Ａの担当エリアＥ２０に移動体３０が移動した場合に、移動体３０が、第１の通信装置１０Ａから受信した認証許可通知情報を、識別情報とともに、第２の通信装置２０Ａに送信する。次に、第２の通信装置２０Ａから、第１の通信装置１０Ａに、当該認証許可通知情報を送信する。これを受けて、第１の通信装置１０Ａは、移動体３０が第２の通信装置２０Ａの担当エリアＥ２０内に存在するかを確認する。移動体３０が第２の通信装置２０Ａの担当エリアＥ２０内に存在する場合には、第１の通信装置１０の判定部１６が、移動体３０が適正な認証許可通知情報を有していると判定する。その結果、第２の通信装置２０Ａは、判定部１６からの判定結果に基づいて、移動体３０に対してサービスの提供を開始する。位置比較部１５および判定部１６の処理は時間を要さないため、第２の通信装置２０Ａは、即座に、移動体３０へのサービスの提供を開始することができる。その結果、本実施の形態２では、移動体３０の移動によりサービスが途切れることを防止することができる。それにより、ＱｏＥなどのサービスの品質を向上させ、顧客満足度を高めることができる。
【００６３】
なお、上記の実施の形態１，２では、移動体３０が第１の通信装置１０，１０Ａの担当エリアＥ１０から第２の通信装置２０，２０Ａの担当エリアＥ２０に進入する例について説明したが、当然のことながら、その逆でも、同様の動作となる。すなわち、移動体３０が第２の通信装置２０，２０Ａの担当エリアＥ２０から第１の通信装置１０，１０Ａの担当エリアＥ１０に進入する場合については、上記の実施の形態１，２の説明において、「第１の通信装置」を「第２の通信装置」と読み替え、「第２の通信装置」を「第１の通信装置」と読み替えればよい。
【００６４】
ここでは、上述したように、例示的な実施の形態１，２を記載したが、実施の形態１，２に記載された様々な特徴、態様、および、機能は、特定の実施の形態の適用に限られるのではなく、単独で、または、様々な組み合わせで、各実施の形態に適用可能である。
【００６５】
従って、例示されていない無数の変形例が、この発明に開示される技術の範囲内において想定される。例えば、少なくとも１つの構成要素を変形する場合、追加する場合または省略する場合が含まれるものとする。
【産業上の利用の可能性】
【００６６】
以上のように、この発明は、移動体にサービスを提供する通信装置、移動体通信システム、および、移動体通信ネットワークシステムに適している。
【符号の説明】
【００６７】
１０，１０Ａ  第１の通信装置、１１  識別情報受信部、１２  認証許可通知情報送信部、１３  第１のサービス送信部、１４  移動位置検知部、１５  位置比較部、１６  判定部、２０，２０Ａ  第２の通信装置、２１  第２の認証許可通知情報受信部、２２  第２のサービス送信部、３０  移動体、３１  識別情報送信部、３２  第１の認証許可通知情報受信部、３３  サービス受信部。
【図１】
2020170416.tif 000003
【図２】
2020170416.tif 000004
【図３】
2020170416.tif 000005
【図４】
2020170416.tif 000006
【図５】
2020170416.tif 000007
【国際調査報告】
2020170416.tif 000008
2020170416.tif 000009
2020170416.tif 000010